(57)【要約】  本発明はリファレンス信号を生成する方法に関連し、本方法は、サービングセルに在圏する端末がリファレンス信号を送信するために使用するサイクリックシフト関連情報を示す又は含む第1の制御情報を取得するステップと、リファレンス信号を送信するために端末で使用されかつ第1の制御情報により示される又は含まれるサイクリックシフト関連情報に従って、サービングセルに在圏する端末がリファレンス信号を生成するように、サービングセルに在圏する端末に第1の制御情報を送信するステップとを有し、サービングセルに在圏する端末がリファレンス信号を生成するのに使用するサイクリックシフトの変更規則は、協調セルに在圏する端末がリファレンス信号を生成するのに使用するサイクリックシフトの変更規則と同じである。
2013533648.tif 000002
【特許請求の範囲】
【請求項１】
リファレンス信号を生成する方法であって、
サービングセルに在圏する端末がリファレンス信号を送信するために使用するサイクリックシフト関連情報を示す又は含む第1の制御情報を取得するステップと、
前記リファレンス信号を前記端末が送信するために使用されかつ前記第1の制御情報により示される又は含まれる前記サイクリックシフト関連情報に従って、前記サービングセルに在圏する前記端末が前記リファレンス信号を生成するように、前記サービングセルに在圏する前記端末に前記第1の制御情報を送信するステップと
を有し、前記サービングセルに在圏する前記端末が前記リファレンス信号を生成するのに使用するサイクリックシフトの変更規則は、協調セルに在圏する端末がリファレンス信号を生成するのに使用するサイクリックシフトの変更規則と同じである、方法。
【請求項２】
前記サービングセルに在圏する前記端末、及び前記端末の前記協調セルに直交カバーコードを送信するステップを更に有する請求項1記載の方法。
【請求項３】
前記第1の制御情報を取得する前に、当該方法は、前記協調セルに在圏する端末のサイクリックシフト関連情報を受信するステップであって、前記サイクリックシフト関連情報は前記協調セルにより送信されている、ステップを更に有し、
前記第1の制御情報を取得するステップにおいて、前記協調セルに在圏する前記端末の受信した前記サイクリックシフト関連情報に従って、前記第1の制御情報を取得する、請求項1記載の方法。
【請求項４】
前記第1の制御情報を取得した後に、当該方法は、取得した前記第1の制御情報を前記協調セルに送信するステップを更に有する、請求項1記載の方法。
【請求項５】
前記サイクリックシフト関連情報は、ある送信時間間隔の中で前記サービングセルに在圏する前記端末が送信するリファレンス信号に使用されるサイクリックシフト値を制御するために使用される、又は
前記サイクリックシフト関連情報は、ある送信時間間隔の中で前記サービングセルに在圏する前記端末が送信するリファレンス信号に使用されるサイクリックシフトオフセット値を制御するために使用される、又は
前記サイクリックシフト関連情報は、前記サービングセルに在圏する前記端末がサイクリックシフトをホッピングさせずに使用してリファレンス信号を生成することを制御するために使用される、又は
前記サイクリックシフト関連情報は、送信時間間隔各々の中で同じサイクリックシフトが使用されかつ異なる送信時間間隔においては異なるサイクリックシフトがリファレンス信号にしようされるルールに従って、前記サービングセルに在圏する前記端末がリファレンス信号を生成することを制御するために使用される、又は
前記サイクリックシフト関連情報は、前記協調セルのセル識別子又は前記協調セルが属するセル群の識別子を含む、請求項1記載の方法。
【請求項６】
サービングセルにより送信された第1の制御情報を端末が受信するステップであって、前記第1の制御情報は、端末がリファレンス信号を送信するために使用するサイクリックシフト関連情報を示すのに使用される、ステップと、
リファレンス信号を送信するために前記端末により使用されかつ前記第1の制御情報により示される又は含まれる前記サイクリックシフト関連情報に従って、前記端末が、前記リファレンス信号を生成し、前記リファレンス信号を送信するステップと
を有し、前記端末が前記リファレンス信号を生成するのに使用するサイクリックシフトの変更規則は、協調セルに在圏する端末がリファレンス信号を生成するのに使用するサイクリックシフトの変更規則と同じである、リファレンス信号を生成する方法。
【請求項７】
前記リファレンス信号を生成し、前記リファレンス信号を送信するステップが、
ルートシーケンスa(i)を生成するステップと、
前記端末がリファレンス信号を送信するのに使用されかつ前記第1の制御情報に示されている又は含まれている受信した前記サイクリックシフト関連情報に従って、前記ルートシーケンスa(i)についてサイクリックシフトを実行してベーシックシーケンスb(i)を生成するステップと、
前記ベーシックシーケンスb(i)を物理リソースブロックにマッピングしてリファレンス信号として送信するステップと
を有する、請求項6記載の方法。
【請求項８】
前記ルートシーケンスa(i)についてサイクリックシフトを実行した後に、当該方法は、
前記サービングセルが送信した直交カバーコード情報を受信するステップと、
前記直交カバーコード情報に従って直交カバーコードを前記ベーシックシーケンスb(i)に重畳するステップと
を有し、前記ベーシックシーケンスb(i)を物理リソースブロックにマッピングしてリファレンス信号として送信する前記ステップにおいて、前記直交カバーコードが重畳された前記ベーシックシーケンスb(i)を前記物理リソースブロックにマッピングして前記リファレンス信号として送信する、請求項7記載の方法。
【請求項９】
端末がリファレンス信号を送信するために使用するサイクリックシフト関連情報を示す又は含む第1の制御情報を取得する取得部と、
前記リファレンス信号を送信するために使用されかつ前記第1の制御情報により示される又は含まれる前記サイクリックシフト関連情報に従って、前記サービングセルに在圏する前記端末が前記リファレンス信号を生成するように、前記サービングセルに在圏する前記端末に前記第1の制御情報を送信する送信部と
を有し、前記サービングセルに在圏する前記端末が前記リファレンス信号を生成するのに使用するサイクリックシフトの変更規則は、協調セルに在圏する端末がリファレンス信号を生成するのに使用するサイクリックシフトの変更規則と同じである、基地局。
【請求項１０】
前記送信部が、前記協調セルと前記サービングセルに在圏する前記端末とに直交カバーコード情報を送信する、請求項9記載の基地局。
【請求項１１】
前記協調セルに在圏する端末のサイクリックシフト関連情報を受信する受信部であって、前記協調セルに在圏する端末のサイクリックシフト関連情報は前記協調セルにより送信されている、受信部を更に有し、
前記取得部は、前記協調セルに在圏する前記端末の受信した前記サイクリックシフト関連情報に従って、前記第1の制御情報を取得する、請求項9記載の基地局。
【請求項１２】
前記送信部が、取得した前記第1の制御情報を前記協調セルに送信する、請求項9記載の基地局。
【請求項１３】
端末であって、
サービングセルにより送信された第1の制御情報を端末が受信する第1の受信部であって、前記第1の制御情報は、端末がリファレンス信号を送信するために使用するサイクリックシフト関連情報を示すのに使用される、第1の受信部と、
リファレンス信号を送信するために当該端末により使用されかつ前記第1の制御情報により示される又は含まれる前記サイクリックシフト関連情報に従って、前記リファレンス信号を生成し、前記リファレンス信号を送信するリファレンス信号生成部と
を有し、前記端末が前記リファレンス信号を生成するのに使用するサイクリックシフトの変更規則は、協調セルに在圏する端末がリファレンス信号を生成するのに使用するサイクリックシフトの変更規則と同じである、端末。
【請求項１４】
前記リファレンス信号生成部が、
ルートシーケンスa(i)を生成するシーケンス生成部と、
前記端末がリファレンス信号を送信するのに使用されかつ前記第1の制御情報に示されている又は含まれている受信した前記サイクリックシフト関連情報に従って、前記ルートシーケンスa(i)についてサイクリックシフトを実行してベーシックシーケンスb(i)を生成するサイクリックシフト部と、
前記ベーシックシーケンスb(i)を物理リソースブロックにマッピングしてリファレンス信号として送信する第1の送信部と
を有する、請求項13記載の端末。
【請求項１５】
前記第1の受信部が、前記サービングセルが送信した直交カバーコード情報を受信し、
当該端末は、前記直交カバーコード情報に従って直交カバーコードを前記ベーシックシーケンスb(i)に重畳する重畳部を有し、
前記第1の送信部は、前記直交カバーコードが重畳された前記ベーシックシーケンスb(i)を前記物理リソースブロックにマッピングして前記リファレンス信号として送信する、請求項13記載の端末。
【発明の詳細な説明】
【技術分野】
【０００１】
本発明は通信の技術分野に関連し、特にリファレンス信号を生成する方法、基地局及び端末等に関連する。
【背景技術】
【０００２】
従来、ユーザ装置(UE(User  Equipment)又は「端末」)はデータ及びリファレンス信号(Reference  Signal：RS)をセル受信機(基地局)に送信し、セル受信機は、リファレンス信号を用いることでチャネルフェージングを推定し、推定されたチャネルフェージングを用いてUEが送信したデータを検査する。基地局は1つのセルの中で直交するRSを様々なUEに割り当てる(指定する)。例えば、ロングタームエボリューション(Long  Term  Evolution：LTE)システムにおける基地局は、異なるサイクリックシフト(Cyclic  Shift：CS)を異なるUEに割り当て、異なるUEから送信されたRSが直交することを保証する。従って、基地局は複数のUEの信号を受信できるが、この場合、他のセルのUEが送信した信号は基地局による受信の際に干渉を引き起こしてしまう。
【０００３】
セル間干渉をランダム化し、1つのデータ送信プロセスでの複数のRS全てにおいて強い干渉が生じることを避けるため、RSホッピング技術が使用されている。例えば、LTEシステムの場合、異なるタイムスロットでUEが送信したRSは異なるCSを使用しており、異なるセルでUEが使用するCSホッピング規則又はルールは異なり、このため、セル間干渉をランダム化することができる。
【０００４】
技術の進歩と共に、協調マルチポイント送受信(Coordinated  Multiple  Point  Transmission／Reception：CoMP)方式が使用され、その場合、UEが送信した信号は受信特性を改善するように複数のセルで受信される。セル間干渉のランダム化はUE間の干渉を或る程度減らし、CoMPにおける協調セル(coordinated  cell)及びサービングセル(serving  cell)はUEが送信したリファレンス信号を正確に復調できる。しかしながら本発明の開発段階において、発明者等は次のことを見出した：従来技術において、CoMP方式とRSホッピング方式とを組み合わせた場合、セル間干渉はランダム化されるが、複数のUEが送信したRS同士が直交していることを保証できず、CoMPの協調セルに在圏するUE間に強い干渉が生じ、セルの受信パフォーマンスを劣化させてしまう。
【発明の概要】
【発明が解決しようとする課題】
【０００５】
開示される発明の課題は、CoMP方式とRSホッピング方式とを組み合わせた場合に、セル間干渉はランダム化されるが、複数のUEが送信したRS同士が直交していることを保証できず、CoMPの協調セルに在圏するUE間に強い干渉が生じ、セルの受信パフォーマンスを劣化させてしまう問題を少なくとも軽減することである。
【課題を解決するための手段】
【０００６】
開示される発明による方法は、
リファレンス信号を生成する方法であって、
サービングセルに在圏する端末がリファレンス信号を送信するために使用するサイクリックシフト関連情報を示す又は含む第1の制御情報を取得するステップと、
前記リファレンス信号を前記端末が送信するために使用されかつ前記第1の制御情報により示される又は含まれる前記サイクリックシフト関連情報に従って、前記サービングセルに在圏する前記端末が前記リファレンス信号を生成するように、前記サービングセルに在圏する前記端末に前記第1の制御情報を送信するステップと
を有し、前記サービングセルに在圏する前記端末が前記リファレンス信号を生成するのに使用するサイクリックシフトの変更規則は、協調セルに在圏する端末がリファレンス信号を生成するのに使用するサイクリックシフトの変更規則と同じである、方法である。
【図面の簡単な説明】
【０００７】
【図１】本発明の実施の形態によりUEがRSを生成する方法を概略的に示す図。
【図２】本発明の実施の形態によるTTIの概略的な構造を示す図。
【図３】従来技術においてCoMP方式が適用される状況を示す図。
【図４】本発明の実施の形態により第1の制御情報を取得する方法を示すフローチャート。
【図５】OCC情報に従ってUEがリファレンス情報を生成する様子を示す概略図。
【図６】本発明の実施の形態によりリファレンス信号を生成する方法を示すフローチャート。
【図７】本発明の実施の形態による基地局の論理装置を示す概略図。
【図８】本発明の実施の形態による端末の論理装置を示す概略図。
【発明を実施するための形態】
【０００８】
＜概要＞
本発明の実施の形態はリファレンス信号を生成するための方法、基地局及び端末等を提供し、複数のセルのUEにより送信されたリファレンス信号が同じホッピングルールに従い、複数のUEが送信するリファレンス信号間で優れた直交性を保証できる。
【０００９】
或る実施の形態による方法は、
リファレンス信号を生成する方法であって、
サービングセルに在圏する端末がリファレンス信号を送信するために使用するサイクリックシフトに関する情報を示す又は含む第1の制御情報を取得するステップと、
前記リファレンス信号を前記端末が送信するために使用されかつ前記第1の制御情報により示される又は含まれる前記サイクリックシフトに関する情報に従って、前記サービングセルに在圏する前記端末が前記リファレンス信号を生成するように、前記サービングセルに在圏する前記端末に前記第1の制御情報を送信するステップと
を有し、前記サービングセルに在圏する前記端末が前記リファレンス信号を生成するのに使用するサイクリックシフトの変更規則は、協調セルに在圏する端末がリファレンス信号を生成するのに使用するサイクリックシフトの変更規則と同じである、方法である。
【００１０】
別の形態による方法は、
サービングセルにより送信された第1の制御情報を端末が受信するステップであって、前記第1の制御情報は、端末がリファレンス信号を送信するために使用するサイクリックシフトに関する情報を示すのに使用される、ステップと、
リファレンス信号を送信するために前記端末により使用されかつ前記第1の制御情報により示される又は含まれる前記サイクリックシフトに関する情報に従って、前記端末が、前記リファレンス信号を精製するステップと
を有し、前記端末が前記リファレンス信号を生成するのに使用するサイクリックシフトの変更規則は、協調セルに在圏する端末がリファレンス信号を生成するのに使用するサイクリックシフトの変更規則と同じである、リファレンス信号を生成する方法である。
【００１１】
更に別の形態による基地局は、
端末がリファレンス信号を送信するために使用するサイクリックシフトに関する情報を示す又は含む第1の制御情報を取得する取得部と、
前記リファレンス信号を送信するために使用されかつ前記第1の制御情報により示される又は含まれる前記サイクリックシフトに関する情報に従って、前記サービングセルに在圏する前記端末が前記リファレンス信号を生成するように、前記サービングセルに在圏する前記端末に前記第1の制御情報を送信する送信部と
を有し、前記サービングセルに在圏する前記端末が前記リファレンス信号を生成するのに使用するサイクリックシフトの変更規則は、協調セルに在圏する端末がリファレンス信号を生成するのに使用するサイクリックシフトの変更規則と同じである、基地局である。
【００１２】
更に別の形態による端末は、
サービングセルにより送信された第1の制御情報を端末が受信する第1の受信部であって、前記第1の制御情報は、端末がリファレンス信号を送信するために使用するサイクリックシフトに関する情報を示すのに使用される、第1の受信部と、
リファレンス信号を送信するために当該端末により使用されかつ前記第1の制御情報により示される又は含まれる前記サイクリックシフトに関する情報に従って、前記リファレンス信号を生成し、前記リファレンス信号を送信するリファレンス信号生成部と
を有し、前記端末が前記リファレンス信号を生成するのに使用するサイクリックシフトの変更規則は、協調セルに在圏する端末がリファレンス信号を生成するのに使用するサイクリックシフトの変更規則と同じである、端末である。
【００１３】
本発明の実施の形態により提供されるリファレンス信号を生成するための方法、基地局及び端末等の技術的解決手段によれば、サービングセルに在圏するUE及び協調セルに在圏するUEは同じサイクリックシフトホッピング規則を使用し、サービングセルに在圏するUEのリファレンス信号と協調セルに在圏するUEのリファレンス信号との間で(協調セルで受信される)で良好な直交性が保証され、協調セルは2つのセルの信号をより正確に復調でき、これによりUEの信号伝送パフォーマンスが向上する。
【００１４】
＜詳細な説明＞
本発明の実施の形態による技術的解決手段をよりいっそう明確に説明するため、本発明の実施の形態の説明で使用される添付図面が「図面の簡単な説明」の欄で簡単に説明されている。添付図面は本発明の実施の形態の内の一部を示すにすぎないことは明らかである。いわゆる当業者はこれらの添付図面から他の形態を創作的能力を発揮することなく導くことができる。
【００１５】
本発明による技術的解決手段を当業者が適切に理解できるようにするため、本発明の実施の形態が添付図面及び実現手段と共に詳細に説明される。
【００１６】
図1に示されているのは、UEがRSを生成する方法の概略を示す。UEはエボルブドノードB(Evolved  Node  B：eNB)のシグナリングを受信し、そのシグナリングは複数の物理リソースブロック(Physical  Resource  Block：PRB)とUEに割り当てられた(指定された)CS情報とを含み、複数のPRBは2PRBであると仮定されかつeNBがUEに割り当てたものであるとする。UEは長さが24であるルートシーケンス(root  sequence)a(i)を生成し(具体的には、12*2であり、PRBの各々は1つの送信時間間隔(Transmission  Time  Interval：TTI)の中で12個のサブキャリアを有し、アップリンク送信の場合、リファレンス信号は各タイムスロットの1つの中央シンボルに配置され、TTIの概略的な構造が図2に示されている)、UEはシグナリングに含まれているCS情報に従ってルルートシーケンスa(i)についてサイクリックシフト(循環シフト又は巡回シフト)を実行することで新たなベーシックシーケンスb(i)を生成し、UEはそのb(i)について逆高速フーリエ変換(IFFT)を実行し、その結果を対応するPRBにマッピングし(対応付け)、それを送出する。
【００１７】
具体的には、eNBによりUEに割り当てられかつUEにより受信されるCS情報に関し、UEがRSを送信するのに使用されるCSは以下の数式(1)に従って決定される：
ncs＝(n(1)DMRS＋n(2)DMRS＋nPRS(ns))  mod  12        (1)
ここで、n(1)DMRSはサービング基地局によりセル内の全てのUEにブロードキャスト方式で通知され、n(2)DMRSはサービング基地局により或るUEにユニキャスト方式で通知され、nPRS(ns)はランダムシーケンスであり、ランダムシーケンスの値はタイムスロットが異なれば異なり、その値はサイクリックシフトのホッピングルールを決定し、異なるセルが異なるホッピングルールを有するように、ホッピングルールはセル識別子(Cell  ID)により決定される。
【００１８】
図3は従来技術においてCoMP方式が適用される状況を示す。UE1はセル1に在圏し、UE2はセル2に在圏し、UE1及びUE2はスケジューリングされた周波数でオーバーラップしたリソースを有し、UE1の信号は複数のセルにより受信できる。図3に示す例の場合、UE1の信号は、受信された信号の品質を改善するように、セル1及びセル2により受信できる。本発明の実施の形態では、サービングセルに在圏するUE及び協調セル(coordinated  cell)に在圏するUEのサイクリックシフトのホッピングルールは同一であるという原理により、UE1のサービングセルは、同じサイクリックシフトホッピングルールを使用するUE1が送信するRS及びUE2が送信するRSを制御し、協調セル(すなわち、セル2)で受信されかつUE1及びUE2により送信されたRSが直交するようにし、UE1及びUE2間の干渉を低減し、UEの信号受信に関するパフォーマンスを改善する。
【００１９】
図4は、本発明の実施の形態によりリファレンス信号を生成する方法のフローチャートを示す。本方法は以下のステップを含む。
【００２０】
401：サービングセルに在圏する端末がリファレンス信号を送信するのに使用するサイクリックシフト関連情報(サイクリックシフトに関連する情報)を示す又は含む第1の制御情報を取得する。
【００２１】
第1の制御情報は、サービングセルに在圏するUEがリファレンス信号を送信するのに使用されるサイクリックシフト(cyclic  shift：CS)関連情報を直接的に含んでいてもよいし、或いはUE自身が保存している他の情報(例えば、協調セルID等)がサイクリックシフト関連情報としてUEにより使用されることを示してもよい。
【００２２】
協調セルに在圏する端末のサイクリックシフト関連情報に従って、かつサービングsrうに在圏するUE及び協調セルに在圏するUEのサイクリックシフトの変更規則(変化法則)が同一であるという原理に従って、サービングセルは、サービングセルに在圏するUEがリファレンス信号を送信するのに使用するサイクリックシフトパラメータを判定することができる。協調セルは、サービングセルに在圏するUEが送信する信号の受信を支援してもよく、信号はリファレンス信号及びデータ信号を含む。
【００２３】
サービングセルは、協調セル内のUEのサイクリックシフトの変更規則に従って、サービングセルに在圏するUEであってサービンセルにより制御されるUEのサイクリックシフトの変更規則を判定してもよいし、或いはサービングセルは、一定のサイクリックシフトホッピングルールを決定して協調セルに通知し、協調セルに在圏するUE及びサービンセルに在圏するUEがその一定のサイクリックシフトホッピングルールに従ってサイクリックシフトを決定してもよいことに留意を要する。本願の説明は、実施の形態の理解を促すように意図されており、その実施の形態に関する限定として解釈してはならない。
【００２４】
ステップ402：取得した第1の制御情報を、サービングセルに在圏するＵＥに送信する。
【００２５】
サービングセルに在圏するUEが第1の制御情報を受信した後、リファレンス信号のサイクリックシフトホッピングルールが協調セルに在圏するUEのサイクリックシフトホッピングルールと同じであるようにし、UEは、第1の制御情報中のCS情報に従ってリファレンス信号を生成し、生成したリファレンス信号をサービングセル及び協調セルの基地局に送信し、協調セルの基地局はリファレンス信号を受信し、その一方で協調セルに在圏するUEは、リファレンス信号を生成し、生成したリファレンス信号をサービングセル及び協調セルの基地局に送信し、協調セルの基地局がリファレンス信号を受信することが、理解すべきである。サービングセルに在圏するUE及び協調セルに在圏するUEが同じPRBを使用し、かつそれら2つのUEでリファレンス信号を生成するためのルートシーケンスa(i)が同じであった場合、2つのUEは異なるサイクリックシフトと共に同じサイクリックシフトホッピングルールを使用するので、サービングセルに在圏するUEのリファレンス信号及び協調セルに在圏するUEのリファレンス信号(協調セルで受信される)は直交する。従って協調セルはサービングセル及び協調セルの各UEからの信号を復調することができ、これによりUEの信号伝送パフォーマンスが改善される。
【００２６】
UE1及びUE2により送信されるRS同士の間で優れた直交性を保証するため、実施の形態で使用される方法は更に以下のステップを含む。
【００２７】
ステップ403：直交カバーコード(Orthogonal  Cover  Code：OCC)情報をサービングセルに在圏するUEに、及びその端末の協調セルに送信する。
【００２８】
OCC情報は同じ送信時間間隔(TTI)の中で複数のリファレンス信号に直交カバーコードの1つのレイヤを重ね(重畳し)、異なるセルのUEに異なる直交カバーコードが割り当てられかつそれらUEのサイクリックシフトのホッピングルールが同じであった場合に、異なるセルの各UEが送信するリファレンス信号が直交するようにする。図5には、OCC情報に従ってUEがリファレンス情報を生成する様子が示されている。1つのTTIは2つのタイムスロットを含み、タイムスロットの各々は1つのリファレンス信号を含む。OCCはOCC[+1+1]及びOCC[+1-1]を含むと仮定する。OCCの要素の各々は、2つのタイムスロット内のリファレンス信号に重ねられる(又は乗算される又は重畳される)符号に対応する。例えば、OCC[+1-1]は、第1のタイムスロットのリファレンス信号に+1が乗算され、第2のタイムスロットのリファレンス信号に-1が乗算されることを示す。サービングセルはUE1にOCC[+1+1]を割り当ててシグナリングによりUE1に通知し、協調セルはOCC[+1-1]をUE2に割り当ててシグナリングによりUE2に通知する。UE1及びUE2のサイクリックシフトのホッピングルールは同じであるので、UE1及びUE2が送信するリファレンス信号は直交する。更に、サービングセルはOCC情報を協調セルと共有し、UE1がリファレンス信号を送信するのに使用されるOCCを協調セルが取得できるようにし、これによりUE1が送信したリファレンス信号を受信できるようにする。その一方で協調セルは、協調セル内のUEに対して、UE1により使用されているOCCを使用することを回避する。
【００２９】
シグナリングを減らすためにOCC情報は第1の制御情報に結びつけられてもよいことに更に留意を要する。或いは、UEが、協調セルのセルID又はセル群(セルクラスタ)のIDを使用して、リファレンス信号のサイクリックシフトのホッピングルールを決定することの契機又はトリガを、サービングセルにより送信されるOCC情報が与えてもよい。セルクラスタは一般にサービングセル及び協調セルを含む。サービングセルが送信したOCC情報を受信した後に、UE1は協調セルのセルID又はセルクラスタのIDを使用してリファレンス信号のサイクリックシフトのホッピングルールを決定し、OCC情報が示すOCCに従ってリファレンス信号を生成する。(この場合、サービングセルにより送信されたOCC情報の機能は、本願で説明される第1の制御情報の機能と同じであり、すなわちUEが新たなサイクリックシフトホッピングルールを生成する契機を与え、UE1が新たなサイクリックシフトホッピングルールに従って新たなリファレンス信号を生成するようにする)。
【００３０】
更に、ステップ401の前に、本方法は更に以下のステップを含んでもよいことに留意を要する。
【００３１】
ステップ400：協調セルに在圏する端末のサイクリックシフト関連情報を受信する(協調セルに在圏する端末のサイクリックシフト関連情報は協調セルから送信される)。
【００３２】
数式(1)により、従来技術においてeNBがUEに如何なるCSを割り当てているかに従って、協調セル(セル2)がUE2のために決定したサイクリックシフトは、セル2に固有の(セル固有(Cell  specific))サイクリックシフトパラメータ、UE2に固有の(UE固有(UE  specific))サイクリックシフトパラメータ及びセル2の識別子(ID)により決定される。セル固有のサイクリックシフトパラメータの具体例は数式(1)におけるn(1)DMRSであり、セルはセル内の全てのUEにパラメータをブロードキャスト方式で通知する。UE2に固有のサイクリックシフトパラメータの具体例は数式(1)におけるn(2)DMRSであり、セルはセル内のUE2にパラメータをユニキャスト方式で通知する。従って、サービングセルは、上記のパラメータの何れか又はそれらの任意の組み合わせに従って、協調セル内のUE2が使用するサイクリックシフトのホッピングルールを取得してもよい。
【００３３】
ステップ401で取得される第1の制御情報も上記のステップ400に従って取得されてもよい。
【００３４】
更に、サービングセルに在圏する端末がリファレンス信号を送信するのに使用されかつステップ401で取得された第1の制御情報に示されている又は含まれているサイクリックシフト関連情報を利用して、1つのTTIの中でUE1が送信するリファレンス信号に使用されるサイクリックシフト値を制御し、UE1及びUE2により使用されるサイクリックシフトの変更規則は同じであることに、留意を要する。
【００３５】
例えば、同じTTIの第1のタイムスロットにおけるUE1のリファレンス信号は、値がCS1であるサイクリックシフトを使用する。第1の制御情報は、同じTTIの第2のタイムスロットにおけるサイクリックシフトを制御するために使用されてもよい。すなわち、サービングセルにより送信された第1の制御情報は、UE1が第2のタイムスロットでサイクリックシフトCS3を使用することを指示又は命令する。第1の制御情報を受信した後、UE1はCS3を用いて第2のタイムスロットのリファレンス信号を生成し、そのリファレンス信号をサービングセル及び協調セルに送信する。サービングセルはCS3の値を制御することができ、同じTTIの2つのタイムスロットでUE1が生成するリファレンス信号に使用されるサイクリックシフトのホッピングルール(変更値はCS3-CS1である)が、協調セル内の他のUEのものと同じであることを保証する。
【００３６】
上記の説明は次のように理解される：或るTTIの第1のタイムスロットにおけるUE1のCSを決定する場合に、第2のタイムスロットのUE1のCSはそのTTIにおけるUE2のホッピングルールに従って決定され、UE1及びUE2は同じTTIの中で同じCSホッピングルールを使用する。
【００３７】
更に、サービングセルに在圏する端末がリファレンス信号を送信するのに使用されかつステップ401で取得された第1の制御情報に示されている又は含まれているサイクリックシフト関連情報は、或るTTIの中でUE1が送信するリファレンス信号に使用されるサイクリックシフトのオフセット値を制御するのに使用されてもよく、同じサイクリックシフトホッピングルールがUE1及びUE2により使用される。
【００３８】
例えば、第1の制御情報は、同じTTIの2つのタイムスロットにおけるリファレンス信号に使用されるサイクリックシフトのオフセット値を制御するのに使用されてもよい。サービングセルが送信する第1の制御情報は、同じTTIの2つのタイムスロットでUE1が使用するサイクリックシフトオフセット値がCS4であることを示し、そしてUE1が第1の制御情報を受信した後に、UE1は、第2のタイムスロットにおいてCS2+CS4を用いてリファレンス信号を生成しそのリファレンス信号をサービングセル(セル1)及び協調セル(セル2)に送信する。サービングセルはCS4の値を用いて、或るTTIの2つのタイムスロットでUE1が生成するリファレンス信号に使用されるサイクリックシフトのホッピングルール(変更値はCS4)が、協調セル内の他のUEのものと同じであることを保証する。
【００３９】
サービングセルに在圏する端末がリファレンス信号を送信するのに使用されかつステップ401で取得された第1の制御情報に示されている又は含まれているサイクリックシフト関連情報は、新たなサイクリックシフトホッピングルールに従ってリファレンス信号をUE1が生成することを制御するのに使用される。UE1の新たなサイクリックシフトホッピングルールは、通常、サービングセルのサイクリックシフトのホッピングルールと異なっている。
【００４０】
第1の制御情報に含まれかつUE1が送信するリファレンス信号に必要なサイクリックシフト(CS)関連情報は、より具体的には、協調セルのセルIDを含む。
【００４１】
UE1が協調セルのセルIDを受信すると、協調セルのセルIDに従ってnPRS(ns)が取得され、n(1)DMRS及びn(2)DMRSはサービングセルの基地局で予め設定されている。リファレンス信号に使用されるサイクリックシフトは数式(1)に従って決定されてもよい。このようにサービングセル内のUEは協調セル内のUEと同じホッピングルールを使用する。
【００４２】
第1の制御情報に含まれかつUE1が送信するリファレンス信号に必要なサイクリックシフト(CS)関連情報は、より具体的には、協調セルが所属するセルクラスタのセルIDを含む。
【００４３】
UE1が協調セルのセルIDを受信すると、セルクラスタのセルIDに従ってnPRS(ns)が取得され、n(1)DMRS及びn(2)DMRSはサービングセルの基地局で予め設定されている。リファレンス信号に使用されるサイクリックシフトは数式(1)に従って決定されてもよい。CoMPシステムの場合、複数のセルが同じセルクラスタのIDを使用する。従って、複数のセルに属するUEが同じセルクラスタのIDを使用してリファレンス信号に使用されるサイクリックシフトを決定する場合、これらのUEのリファレンス信号のサイクリックシフトのホッピングルールは同じである。
【００４４】
協調セルのセルID又は協調セルが所属するセルクラスタのIDは、第1の制御情報でサービング基地局によりUE1に送信されてもよいが、実施の形態は協調セルのセルID又は協調セルが所属するセルクラスタのIDを取得するその方法に限定されないことに、更に留意を要する。UE1が既に協調セルのセルID又は協調セルが所属するセルクラスタのIDを有していた場合、第1の制御情報はCS関連情報を含む必要はなく、第1の制御情報はUE1が新たなサイクリックシフトホッピングルールを生成する契機を(UE1に)与え、UE1が新たなサイクリックシフトホッピングルールに従ってリファレンス信号を生成するようにする。
【００４５】
例えば、協調セルのセルID又は協調セルが所属するセルクラスタのIDをサービングセルがシグナリングでUE1に予め通知する場合、第1の制御情報はシグナリングの契機をもたらす。サービングセルが第1の制御情報をUE1に送信すると、既に受信しているID(協調セルのセルID又は協調セルが所属するセルクラスタのID)を用いてnPRS(ns)を取得し、リファレンス信号を生成するのに使用するサイクリックシフトを数式(1)に従って生成する契機をUE1に与える。
【００４６】
別の具体例の場合、協調セルのセルID又は協調セルが所属するセルクラスタのIDがUE1により検出されサービングセルに報告され、第1の制御情報はシグナリングの契機を与える。LTEシステムの場合、UE1は周辺セル又は隣接セルの信号を検出し、隣接セルの信号強度が十分に大きかった場合、UE1は隣接セルのセルIDをサービングセルに報告する。サービングセルが第1の制御情報をUE1に送信すると、以前に報告されているセルID又はセルクラスタのIDを用いてnPRS(ns)を取得し、リファレンス信号に使用されるサイクリックシフトを数式(1)に従って決定する契機がUE1に与えられ、サービングセルは対応するサイクリックシフトに従ってUE1から送信されたリファレンス信号を受信する。
【００４７】
更に、サービングセルに在圏する端末がリファレンス信号を送信するのに使用されかつステップ401で取得された第1の制御情報に示されている又は含まれているサイクリックシフト関連情報は、ホッピングさせずにサイクリックシフトを使用してリファレンス信号をUE1が生成することを制御するために使用され、実施の形態による方法は、ホッピングさせない同じサイクリックシフトを用いてリファレンス信号を生成することを、協調セル内のUEにサービングセルが通知するステップを更に含む。
【００４８】
サービングセルが第1の制御情報をUE1に送信する場合、UE1は全てのリファレンス信号について同じサイクリックシフトを使用する。サイクリックシフト値は、予め設定された固定値でもよいし、或いはサービングセルのセル固有又はUE固有のサイクリックシフトパラメータにより決定されてもよいし(例えば、サイクリックシフト値は、n(1)DMRS又はn(2)DMRSに等しくてもよい)、或いはサービングセルのセル固有及びUE固有のサイクリックシフトパラメータ双方により決定されてもよい(例えば、サイクリックシフト値は、(n(1)DMRS＋n(2)DMRS)mod12に等しくてもよい)。
【００４９】
サービングセルは協調セル内の全てのUEに同じCSを使用することを通知し、サービングセル内のUE及び協調セル内のUEが同じホッピングルールを使用することを保証する。
【００５０】
サービングセルに在圏する端末がリファレンス信号を送信するのに使用されかつステップ401で取得された第1の制御情報に示されている又は含まれているサイクリックシフト関連情報は、UE1が或るルールに従ってリファレンス信号を生成することを制御するのに使用され、そのルールでは、同じサイクリックシフトが各TTIの中で使用され、異なるサイクリックシフトが異なるTTIのリファレンス信号に使用される。実施の形態による方法は、各TTIの中で同じサイクリックシフトを使用しかつ異なるTTIのリファレンス信号に異なるサイクリックシフトを使用するUE2を制御するルールを、サービングセルが協調esルに通知するステップを更に含んでもよい(UE1及びUE2のリファレンス信号に、同じサイクリックシフトホッピングルールが使用される)。
【００５１】
異なる時点でUE1のリファレンス信号に使用されるサイクリックシフト値のホッピングルールはランダムシーケンスであってもよいことに留意を要する。例えば、ns番目のタイムスロットでUE1が送信するサイクリックシフト値は、以下の数式(2)のように示される。
【００５２】
ncs＝{R[floor(ns/2)*2]}  mod  12          (2)
ここで、floor(ns/2)はns/2を丸めた整数を表し、Rはランダムシーケンスであり、R(ns)はランダムシーケンスRのns番目の値であり、以下において重複的な説明は行わない。nsの値が2i又は2i＋1であった場合(iは整数)、ncsの値は同じである。すなわち、同じTTIの2つの連続するタイムスロットにおいて、UE1のリファレンス信号に同じサイクリックシフトが使用され、異なるTTIにおいては異なるサイクリックシフトが使用される。従ってR(ns)は異なるセルでは異なり、従って、異なるセルにおいてはサイクリックシフトについて異なるホッピング規則が異なり、良好なランダム化の効果をもたらす。
【００５３】
上記の数式は1つの具体例にすぎない。上記の技術的解決手段は他の数式又は他の手段と共に実現されてもよい。例えば、数式(3)はncsにより置換されてもよい(この点については後述する)。
【００５４】
【数１】
2013533648.tif 000003
更に、異なる時点でUE1のリファレンス信号に使用されるサイクリックシフト値のホッピングルールは、サービングセルのセルIDに従って決定されてもよい。例えば、ns番目のタイムスロットにおいてUE1が使用するサイクリックシフト値は、次式のように表現されてもよい。
【００５５】
ncs＝{R[floor(ns/2)*2]＋Cell_ID}  mod  12          (4)
この数式において、Cell_IDはサービングセルのセルIDである。このように異なるセルは異なるセルIDを有し、従って異なるセルはサイクリックシフトに関する異なる変更規則を有する。
【００５６】
更に、異なる時点においてUE1のリファレンス信号に使用されるサイクリックシフト値のホッピングルールは、セル固有のサイクリックシフトパラメータ及び/又はUE1固有のサイクリックシフトパラメータに応じて決定されてもよい。例えば、ns番目のタイムスロットにおいてUE1が使用するサイクリックシフト値は、次式(5)のように表現されてもよい。
【００５７】
ncs＝(n(1)DMRS＋n(2)DMRS＋R[floor(ns/2)*2])  mod  12          (5)
従ってUE1が送信するリファレンス信号に使用されるサイクリックシフトを、より柔軟に制御することができる。
【００５８】
更に、実施の形態におけるステップ401の後、協調セルがUE1により使用される細工陸シフトを当然には知ることができない場合、本方法は以下のステップを有してもよい。
【００５９】
ステップ404：取得した第1の制御情報を協調セルに送信する。
【００６０】
協調セルが、UE1により使用されるサイクリックシフトを把握しかつそれに応じてUE1が送信したリファレンス信号を受信できるように、ステップ404が付加される。
【００６１】
選択的に、サービングセルに在圏するUEに割り当てられているサイクリックシフト関連情報を取得した後に、協調セルは、サイクリックシフト関連情報に応じて、協調セルに在圏する端末がリファレンス信号を生成するのに使用するサイクリックシフトのホッピングルールを制御し、そのホッピングルールは、サービングセルに在圏するUEがリファレンス信号を生成するのに使用するサイクリックシフトのホッピングルールと同じである。
【００６２】
更に、サービングセルがUE1に送信する情報は、ステップ401、ステップ403又はステップ404で送信することを要する情報であり、サービングセルがリソースをUE1に割り当てる毎に、サービングセルによりUE1又は協調セルに送信されることが、理解すべきである。この情報は準静的に(semi-static)UE1に送信されてもよい。これは次のように理解できる：サービングセルがUE1に関連情報を通知すると、サービングセルからの新たな情報が受信される次の時点まで、UE1はその関連情報に含まれていた命令(指示)を使用し続ける。更に、サービングセルが送信する情報は、制御チャネル(例えば、物理報知チャネル(Physical  Broadcast  Channel：PBCH)又は物理下りリンク制御チャネル(Physical  Downlink  Control  Channel：PDCCH))又は物理下りリンク共有チャネル(Physical  Downlink  Shared  Channel：PDSCH)によりブロードキャスト、マルチキャスト又はユニキャスト方式で搬送されてもよい。
【００６３】
図6は、本発明の実施の形態によりリファレンス信号を生成する方法のフローチャートを示す。実施の形態において、サービングセルに在圏するUE1は或る原則に従ってリファレンス情報を生成し、その原則は、サービングセル内の端末が使用するサイクリックシフトの変更規則は協調セルのUEが使用するものと同じである、という原則であり、UEが送信するリファレンス信号及びセルに在圏するUEが送信するリファレンス信号(協調セルが受信する)は優れた直交性を有し、従って協調セルの受信パフォーマンスが改善される。具体的には、リファレンス信号を生成する方法は以下のステップを含む。
【００６４】
ステップ601：サービングセルが送信した第1の制御情報を受信する。
【００６５】
サービングセルが送信する第1の制御情報の詳細な説明については、第1の制御情報を取得する方法についての上記の説明を参照することが可能であり、重複的な説明は行わない。
【００６６】
ステップ602：端末がリファレンス信号を送信するのに使用されかつ第1の制御情報に示されている又は含まれているサイクリックシフト関連情報に従って、リファレンス信号を生成し、そのリファレンス信号を送信する
端末がリファレンス信号を生成するのに使用するサイクリックシフトの変更規則は、協調セルに在圏する端末がリファレンス信号を生成するのに使用するサイクリックシフトの変更規則と同じである。
【００６７】
ステップ602は具体的には以下のステップを含む。
【００６８】
ステップ6021：ルートシーケンスa(i)を生成する。
【００６９】
ステップ6022：端末がリファレンス信号を送信するのに使用されかつ第1の制御情報に示されている又は含まれている受信したサイクリックシフト関連情報に従って、ルートシーケンスa(i)についてサイクリックシフトを実行し、ベーシックシーケンスb(i)を生成する。
【００７０】
ステップ6023：ベーシックシーケンスb(i)を物理リソースブロックにマッピングし、それをリファレンス信号として送信する。
【００７１】
リファレンス信号を生成する方法によれば、サービングセルに在圏するUE及び協調セルに在圏するUEが同じPRBを使用し、かつ2つのUEにおいてリファレンス信号を生成するためのルートシーケンスa(i)が同じであった場合、2つのUEは異なるサイクリックシフトを使用しかつ同じサイクリックシフトホッピングルールを使用するので、サービングセルに在圏するUEのリファレンス信号と協調セルに在圏するUEのリファレンス信号とは直交するので(協調セルで受信される)、協調セルは2つのセルからの信号をより正確に復調でき、これによりUEの信号伝送パフォーマンスが向上する。
【００７２】
本方法は次のステップを更に含んでいてもよい。
【００７３】
ステップ603：サービングセルから送信された直交カバーコード情報を受信する。ステップ603はステップ601の前に実行されてもよいし或いはステップ601の後に実行されてもよい。
【００７４】
そして、ステップ6022の後に、本方法は以下のステップを更に含んでもよい。
【００７５】
ステップ6022’：OCC情報に従ってベーシックシーケンスb(i)に直交カバーコードを重ね(又は乗算し)、直交カバーコードが重なっている(又は乗算された)b(i)を取得する。
【００７６】
OCCはOCC情報に含まれかつサービングセルから送信される、或いはOCC情報のインジケータ又は指標に従って、所定のOCCの中から選択されてもよい。この説明は説明の理解を容易にするためのものであり、この実施の形態への限定として解釈してはならない。
【００７７】
ステップ6023は具体的には直交カバーコードが重ねられた(又は乗算された)ベーシックシーケンスb(i)を物理リソースブロックにマッピングし、それをリファレンス信号として送信することを含む。
【００７８】
ステップ6022’の詳細な説明については、図5及びその説明箇所に記載されている。
【００７９】
ステップ6022’が付加されるので、本方法では、UE1が送信するリファレンス信号のサイクリックシフトのホッピングルールは、協調セルのサイクリックシフトのホッピングルールと同じであり、OCCがリファレンス信号に重ねられ(乗算され)、UE1のリファレンス信号及びUE2のリファレンス信号(協調セルで受信される)は直交しており、協調セルの受信パフォーマンスを向上させる。
【００８０】
図7は、本発明の実施の形態による基地局の論理装置の概略図を示す。基地局はサービングセルの基地局でもよい。基地局は取得部701及び送信部702を含む。
【００８１】
取得部701は端末がリファレンス信号を送信するために使用するサイクリックシフト関連情報を示す又は含む第1の制御情報を取得する。
【００８２】
基地局の取得部701は、協調セル内のUEのサイクリックシフトのホッピングルールに応じて、基地局に所属するUEのサイクリックシフトのホッピングルールを決定してもよいし、或いは基地局の取得部701は、一定のサイクリックシフトホッピングルールを決定して協調セルに通知し、協調セルに在圏するUE及びサービングセルに在圏するUEがその一定のサイクリックシフトホッピングルールに従ってサイクリックシフトを決定してもよいことに、留意を要する。この説明は実施の形態の説明の理解を促すためのものであり、その実施の形態への限定として解釈してはならない。
【００８３】
送信部702は第1の制御情報をサービングセルに在圏する端末に送信し、端末がリファレンス信号を送信するのに使用されかつ第1の制御情報に示されている又は含まれているサイクリックシフト関連情報に従って、サービングセルに在圏する端末がリファレンス信号を生成するようにし、サービングセルに在圏する端末がリファレンス信号を生成するのに使用するサイクリックシフトの変更規則は、協調セルに在圏する端末がリファレンス信号を生成するのに使用するサイクリックシフトの変更規則と同じである。
【００８４】
実施の形態による基地局の場合、第1の制御情報を受信した後に、UE1は第1の制御情報中のCS情報に従ってリファレンス信号を生成してそのリファレンス信号を送信し、それは協調セルで基地局により受信される。一方、協調セルに在圏するUEはサービングセルに在圏するUEのサイクリックシフトホッピングルールと同じサイクリックシフトホッピングルールを使用してリファレンス信号を生成し、そのリファレンス信号を送信し、そのリファレンス信号は協調セル内の基地局により受信される。サービングセルに在圏するUE及び協調セルに在圏するUEが同じPRBを使用し、かつ2つのUEにおいてリファレンス信号を生成するためのルートシーケンスa(i)が同じであった場合、2つのUEは異なるサイクリックシフトを使用するので、サービングセルに在圏するUEのリファレンス信号と協調セルに在圏するUEのリファレンス信号とは直交し(協調セルで受信される)、協調セルは2つのセルからの信号をより正確に復調でき、これによりUEの信号伝送パフォーマンスが向上する。
【００８５】
更に、UE1及びUE2から送信されるRS同士の間の直交性を改善するため、送信部702は、サービングセルに在圏するUEのために設定された直交カバーコード(Orthogonal  Convolutional  Code：OCC)情報を、協調セルとサービングセルに在圏するUEとに送信する。
【００８６】
送信部702は取得した第1の制御情報を協調セルに送信するようにも形成されている。
【００８７】
送信部702は、取得した第1の制御情報を協調セルに送信し、協調セルが、UE1により使用されるサイクリックシフトを知りかつそれに応じてUE1が送信したリファレンス信号を受信するようにする。
【００８８】
更に、実施の形態により提供される基地局は、協調セルに在圏する端末のサイクリックシフト関連情報を受信する受信部を含み、協調セルに在圏する端末のサイクリックシフト関連情報は協調セルから送信されている。
【００８９】
従って送信部702は協調セルに在圏する端末のサイクリックシフト関連情報に従って第1の制御情報を取得し、協調セルに在圏する端末のサイクリックシフト関連情報は受信部により受信される。
【００９０】
実施の形態による基地局は、本発明の実施の形態によりリファレンス信号を生成する方法におけるサービングセルの基地局にも同様に使用可能であり、重複的な説明は行わない。
【００９１】
図8は、本発明の実施の形態による端末の論理装置の概略図を示す。端末は第1の受信部801及びリファレンス信号生成部802を含む。
【００９２】
第1の受信部801はサービングセルが送信した第1の制御情報を受信するよう形成され、第1の制御情報は端末がリファレンス信号を送信するのに使用されるサイクリックシフト関連情報を示す又は含む。
【００９３】
リファレンス信号生成部802は、端末がリファレンス信号を送信するのに使用されかつ第1の制御情報により示される又は含まれるサイクリックシフト関連情報に従ってリファレンス信号を生成してそのリファレンス信号を送信し、端末がリファレンス信号を生成するのに使用するサイクリックシフトの変更規則は、協調セルに在圏する端末がリファレンス信号を生成するのに使用するサイクリックシフトの変更規則と同じである。
【００９４】
リファレンス信号生成部802は以下の要素を更に含んでもよい。
【００９５】
シーケンスa(i)を生成するシーケンス生成部。
【００９６】
サイクリックシフト部。及び
第1の送信部。
【００９７】
サイクリックシフト部は、端末がリファレンス信号を送信するのに使用されかつ第1の制御情報により示される又は含まれる受信したサイクリックシフト関連情報に従って、ルートシーケンスa(i)についてサイクリックシフトを実行してベーシックシーケンスb(i)を生成する。
【００９８】
第1の送信部は、ベーシックシーケンスb(i)を物理リソースブロックにマッピングし(対応づけ)、それをリファレンス信号として送信する。
【００９９】
本発明の実施の形態による端末において、サービングセルに在圏するUE及び協調セルに在圏するUEが同じPRBを使用し、かつ2つのUEにおいてリファレンス信号を生成するためのルートシーケンスa(i)が同じであった場合、2つのUEは異なるサイクリックシフトを使用するので、サービングセルに在圏するUEのリファレンス信号と協調セルに在圏するUEのリファレンス信号とは直交し(協調セルで受信される)、協調セルは2つのセルからの信号をより正確に復調でき、これによりUEの信号伝送パフォーマンスが向上する。
【０１００】
更に、端末は重畳部(superposing  unit)を有し、重畳部はOCC情報に従ってベーシックシーケンスb(i)に直交カバーコードを重畳し、具体的には同じ送信時間間隔の中でb(i)に直交カバーコードを重畳する。
【０１０１】
OCCはOCC情報に含まれてサービングセルにより送信されてもよいし、或いはOCCは予め設定されているOCCの中からOCC情報の指示に従って選択されてもよい。この説明は発明の理解を容易にするためのものであり、この実施の形態への限定として解釈してはならない。
【０１０２】
第1の送信部は、直交カバーコードが重畳されたベーシックシーケンスb(i)を物理リソースブロックにマッピングし、それをリファレンス信号として送信する。
【０１０３】
重畳部が加わっているので、端末が送信するリファレンス信号のサイクリックシフトのホッピングルールが協調セルのサイクリックシフトのホッピングルールと同じでありかつOCCがリファレンス信号に重畳される場合、端末のリファレンス信号及びUE2のリファレンス信号(協調セルで受信される)は直交し、このため協調セルの受信パフォーマンスが改善される。
【０１０４】
上記の実施の形態による方法のステップの内の全部又は一部が、適切なハードウェアを動作させるコンピュータプログラムにより実現されてもよいことを、当業者は認めるであろう。プログラムはコンピュータにより読み取り可能な記憶媒体に保存されてもよく、プログラムが実行されると上記の実施の形態の方法の手順が実行される。記憶媒体は磁気ディスク、CD-ROM、リードオンリメモリ(ROM)、ランダムアクセスメモリ(RAM)等である。
【０１０５】
以上、本発明の実施の形態が詳細に説明された。本発明は特定の実現手段に関連して説明されたが、上記の実施の形態の説明は本発明による方法及び装置の理解を促進するためのものにすぎない。それらの具体的な実施形態及び適法可能な対象と共に、本発明の原理に従って変形例及び修正例が当業者によりなされるであろう。従って実施の形態を本発明についての限定として解釈してはならない。
2013533648.tif 000004
【図４】
2013533648.tif 000005
【図６】
2013533648.tif 000006
【図７】
2013533648.tif 000007
【図８】
2013533648.tif 000008
【図１】
2013533648.tif 000009
【図２】
2013533648.tif 000010
【図３】
2013533648.tif 000011
【図５】
2013533648.tif 000012
【手続補正書】
【提出日】平成24年9月20日(2012.9.20)
【手続補正１】
【補正対象書類名】特許請求の範囲
【補正対象項目名】全文
【補正方法】変更
【補正の内容】
【特許請求の範囲】
【請求項１】
リファレンス信号を生成する方法であって、
サービングセルに在圏する端末がリファレンス信号を送信するために使用するサイクリックシフト関連情報を示す又は含む第1の制御情報を取得するステップと、
前記リファレンス信号を前記端末が送信するために使用されかつ前記第1の制御情報により示される又は含まれる前記サイクリックシフト関連情報に従って、前記サービングセルに在圏する前記端末が前記リファレンス信号を生成するように、前記サービングセルに在圏する前記端末に前記第1の制御情報を送信するステップと
を有し、前記サービングセルに在圏する前記端末が前記リファレンス信号を生成するのに使用するサイクリックシフトの変更規則は、協調セルに在圏する端末がリファレンス信号を生成するのに使用するサイクリックシフトの変更規則と同じである、方法。
【請求項２】
前記サービングセルに在圏する前記端末、及び前記端末の前記協調セルに直交カバーコードを送信するステップを更に有する請求項1記載の方法。
【請求項３】
前記第1の制御情報を取得する前に、当該方法は、前記協調セルに在圏する端末のサイクリックシフト関連情報を受信するステップであって、前記サイクリックシフト関連情報は前記協調セルにより送信されている、ステップを更に有し、
前記第1の制御情報を取得するステップにおいて、前記協調セルに在圏する前記端末の受信した前記サイクリックシフト関連情報に従って、前記第1の制御情報を取得する、請求項1記載の方法。
【請求項４】
前記第1の制御情報を取得した後に、当該方法は、取得した前記第1の制御情報を前記協調セルに送信するステップを更に有する、請求項1記載の方法。
【請求項５】
前記サイクリックシフト関連情報は、ある送信時間間隔の中で前記サービングセルに在圏する前記端末が送信するリファレンス信号に使用されるサイクリックシフト値を制御するために使用される、又は
前記サイクリックシフト関連情報は、ある送信時間間隔の中で前記サービングセルに在圏する前記端末が送信するリファレンス信号に使用されるサイクリックシフトオフセット値を制御するために使用される、又は
前記サイクリックシフト関連情報は、前記サービングセルに在圏する前記端末がサイクリックシフトをホッピングさせずに使用してリファレンス信号を生成することを制御するために使用される、又は
前記サイクリックシフト関連情報は、送信時間間隔各々の中で同じサイクリックシフトが使用されかつ異なる送信時間間隔においては異なるサイクリックシフトがリファレンス信号にしようされるルールに従って、前記サービングセルに在圏する前記端末がリファレンス信号を生成することを制御するために使用される、又は
前記サイクリックシフト関連情報は、前記協調セルのセル識別子又は前記協調セルが属するセル群の識別子を含む、請求項1記載の方法。
【請求項６】
サービングセルにより送信された第1の制御情報を端末が受信するステップであって、前記第1の制御情報は、端末がリファレンス信号を送信するために使用するサイクリックシフト関連情報を示すのに使用される、ステップと、
リファレンス信号を送信するために前記端末により使用されかつ前記第1の制御情報により示される又は含まれる前記サイクリックシフト関連情報に従って、前記端末が、前記リファレンス信号を生成し、前記リファレンス信号を送信するステップと
を有し、前記端末が前記リファレンス信号を生成するのに使用するサイクリックシフトの変更規則は、協調セルに在圏する端末がリファレンス信号を生成するのに使用するサイクリックシフトの変更規則と同じである、リファレンス信号を生成する方法。
【請求項７】
前記リファレンス信号を生成し、前記リファレンス信号を送信するステップが、
ルートシーケンスa(i)を生成するステップと、
前記端末がリファレンス信号を送信するのに使用されかつ前記第1の制御情報に示されている又は含まれている受信した前記サイクリックシフト関連情報に従って、前記ルートシーケンスa(i)についてサイクリックシフトを実行してベーシックシーケンスb(i)を生成するステップと、
前記ベーシックシーケンスb(i)を物理リソースブロックにマッピングしてリファレンス信号として送信するステップと
を有する、請求項6記載の方法。
【請求項８】
前記ルートシーケンスa(i)についてサイクリックシフトを実行した後に、当該方法は、
前記サービングセルが送信した直交カバーコード情報を受信するステップと、
前記直交カバーコード情報に従って直交カバーコードを前記ベーシックシーケンスb(i)に重畳するステップと
を有し、前記ベーシックシーケンスb(i)を物理リソースブロックにマッピングしてリファレンス信号として送信する前記ステップにおいて、前記直交カバーコードが重畳された前記ベーシックシーケンスb(i)を前記物理リソースブロックにマッピングして前記リファレンス信号として送信する、請求項7記載の方法。
【請求項９】
端末がリファレンス信号を送信するために使用するサイクリックシフト関連情報を示す又は含む第1の制御情報を取得する取得部と、
前記リファレンス信号を送信するために使用されかつ前記第1の制御情報により示される又は含まれる前記サイクリックシフト関連情報に従って、前記サービングセルに在圏する前記端末が前記リファレンス信号を生成するように、前記サービングセルに在圏する前記端末に前記第1の制御情報を送信する送信部と
を有し、前記サービングセルに在圏する前記端末が前記リファレンス信号を生成するのに使用するサイクリックシフトの変更規則は、協調セルに在圏する端末がリファレンス信号を生成するのに使用するサイクリックシフトの変更規則と同じである、基地局。
【請求項１０】
前記送信部が、前記協調セルと前記サービングセルに在圏する前記端末とに直交カバーコード情報を送信する、請求項9記載の基地局。
【請求項１１】
前記協調セルに在圏する端末のサイクリックシフト関連情報を受信する受信部であって、前記協調セルに在圏する端末のサイクリックシフト関連情報は前記協調セルにより送信されている、受信部を更に有し、
前記取得部は、前記協調セルに在圏する前記端末の受信した前記サイクリックシフト関連情報に従って、前記第1の制御情報を取得する、請求項9記載の基地局。
【請求項１２】
前記送信部が、取得した前記第1の制御情報を前記協調セルに送信する、請求項9記載の基地局。
【請求項１３】
端末であって、
サービングセルにより送信された第1の制御情報を端末が受信する第1の受信部であって、前記第1の制御情報は、端末がリファレンス信号を送信するために使用するサイクリックシフト関連情報を示すのに使用される、第1の受信部と、
リファレンス信号を送信するために当該端末により使用されかつ前記第1の制御情報により示される又は含まれる前記サイクリックシフト関連情報に従って、前記リファレンス信号を生成し、前記リファレンス信号を送信するリファレンス信号生成部と
を有し、前記端末が前記リファレンス信号を生成するのに使用するサイクリックシフトの変更規則は、協調セルに在圏する端末がリファレンス信号を生成するのに使用するサイクリックシフトの変更規則と同じである、端末。
【請求項１４】
前記リファレンス信号生成部が、
ルートシーケンスa(i)を生成するシーケンス生成部と、
前記端末がリファレンス信号を送信するのに使用されかつ前記第1の制御情報に示されている又は含まれている受信した前記サイクリックシフト関連情報に従って、前記ルートシーケンスa(i)についてサイクリックシフトを実行してベーシックシーケンスb(i)を生成するサイクリックシフト部と、
前記ベーシックシーケンスb(i)を物理リソースブロックにマッピングしてリファレンス信号として送信する第1の送信部と
を有する、請求項13記載の端末。
【請求項１５】
前記第1の受信部が、前記サービングセルが送信した直交カバーコード情報を受信し、
当該端末は、前記直交カバーコード情報に従って直交カバーコードを前記ベーシックシーケンスb(i)に重畳する重畳部を有し、
前記第1の送信部は、前記直交カバーコードが重畳された前記ベーシックシーケンスb(i)を前記物理リソースブロックにマッピングして前記リファレンス信号として送信する、請求項13記載の端末。
【請求項１６】
請求項1-5の何れか1項に記載の方法に従ってユーザ装置のステップをコンピュータ装置に実行させるコンピュータプログラム。
【国際調査報告】
2013533648.tif 000013
2013533648.tif 000014
2013533648.tif 000015
2013533648.tif 000016